(57)【要約】【課題】  電力系統の需給制御に使用する二次電池装置の蓄電量を適切に制御すること。【解決手段】  ＳＯＣ把握部６１は、二次電池装置５から出力されているＳＯＣ値を取り込んで現在のＳＯＣ値を把握する。制御モード決定部６２は、ＳＯＣ把握部６１により把握される現在のＳＯＣ値に応じて、ＳＯＣを適切な値に維持するためのＳＯＣ維持モードで二次電池装置５を運転すべきか、あるいは一般的な通常モードで二次電池装置５を運転すべきかを決定する。充放電効率値設定部６３は、二次電池装置５の充電効率値および放電効率値を設定する。ＳＯＣ維持モード用出力指令値生成部６４は、需給制御装置７により生成された出力指令値を充放電効率設定部６３により設定された充電効率値もしくは放電効率値を用いて補正して得られる値をＳＯＣ維持モードのための出力指令値として生成する。出力切替部６５は、ＳＯＣモード用出力指令値生成部６４により生成された出力指令値が二次電池装置５へ伝達されるように、出力指令値を切り替える。【選択図】図２
2011200084.tif 000002
【特許請求の範囲】
【請求項１】
電力系統の需給制御装置から二次電池装置に対して生成される出力指令値を用いて当該二次電池装置を制御する二次電池制御装置において、
前記二次電池装置の現在の蓄電量を把握する蓄電量把握手段と、
前記蓄電量把握手段により把握された現在の蓄電量に応じて、蓄電量が充電末に近づくこともしくは放電末に近づくことを抑制するための蓄電量維持モードで前記二次電池装置を運転すべき否かを決定する制御モード決定手段と、
前記二次電池装置の充電効率値および放電効率値を設定する充放電効率値設定手段と、
前記需給制御装置により生成された出力指令値を前記充放電効率設定手段により設定された充電効率値もしくは放電効率値を用いて補正して得られる値を前記蓄電量維持モードのための出力指令値として生成する蓄電量維持モード用出力指令値生成手段と、
前記制御モード決定手段により決定された制御モードが前記蓄電量維持モードのときは前記蓄電量維持モード用出力指令値生成手段により生成された出力指令値が前記二次電池装置へ伝達されるように、また、前記蓄電量維持モードではないときは前記需給制御装置により生成された出力指令値が前記二次電池装置へ伝達されるように、出力指令値を切り替える出力切替手段と
を具備することを特徴とする二次電池制御装置。
【請求項２】
請求項１に記載の二次電池制御装置において、
前記充放電効率設定手段により設定された充電効率値もしくは放電効率値および前記二次電池装置の出力値を用いて、前記二次電池装置の現在の蓄電量を算出する蓄電量算出手段を具備することを特徴とする二次電池制御装置。
【請求項３】
請求項１または２に記載の二次電池制御装置において、
前記充放電効率設定手段は、
前記二次電池装置の蓄電量と充電効率値および放電効率値との関係を示す情報を記憶している充放電効率値記憶手段と、
前記充放電効率値記憶手段に記憶されている情報を用いて、現在の充電量に対応する充電効率値および放電効率値を抽出する充放電効率値抽出手段と
を具備することを特徴とする二次電池制御方法。
【請求項４】
請求項１乃至３のいずれか１項に記載の二次電池制御装置において、
少なくとも前記二次電池装置の蓄電量および前記制御モード決定手段により決定された制御モードを含む情報を、当該二次電池制御装置の外部へ出力する手段を具備することを特徴とする二次電池制御方法。
【請求項５】
電力系統の需給制御装置から二次電池装置に対して生成される出力指令値に基づいて当該二次電池装置を制御する二次電池制御方法において、
蓄電量把握手段が、前記二次電池装置の現在の蓄電量を把握し、
制御モード決定手段が、前記蓄電量把握手段により把握された現在の蓄電量に応じて、蓄電量が充電末に近づくこともしくは放電末に近づくことを抑制するための蓄電量維持モードで前記二次電池装置を運転すべき否かを決定し、
充放電効率値設定手段が、前記二次電池装置の充電効率値および放電効率値を設定し、
蓄電量維持モード用出力指令値生成手段が、前記需給制御装置により生成された出力指令値を前記充放電効率設定手段により設定された充電効率値もしくは放電効率値を用いて補正して得られる値を前記蓄電量維持モードのための出力指令値として生成し、
出力切替手段が、前記制御モード決定手段により決定された制御モードが前記蓄電量維持モードのときは前記蓄電量維持モード用出力指令値生成手段により生成された出力指令値が前記二次電池装置へ伝達されるように、また、前記蓄電量維持モードではないときは前記需給制御装置により生成された出力指令値が前記二次電池装置へ伝達されるように、出力指令値を切り替える
ことを有することを特徴とする二次電池制御方法。
【請求項６】
電力系統の需給制御装置から二次電池装置に対して生成される出力指令値に基づいて当該二次電池装置を制御するためのプログラムにおいて、
前記二次電池装置の現在の蓄電量を把握する蓄電量把握機能と、
前記蓄電量把握機能により把握された現在の蓄電量に応じて、蓄電量が充電末に近づくこともしくは放電末に近づくことを抑制するための蓄電量維持モードで前記二次電池装置を運転すべき否かを決定する制御モード決定機能と、
前記二次電池装置の充電効率値および放電効率値を設定する充放電効率値設定機能と、
前記需給制御装置により生成された出力指令値を前記充放電効率設定機能により設定された充電効率値もしくは放電効率値を用いて補正して得られる値を前記蓄電量維持モードのための出力指令値として生成する蓄電量維持モード用出力指令値生成機能と、
前記制御モード決定機能により決定された制御モードが前記蓄電量維持モードのときは前記蓄電量維持モード用出力指令値生成機能により生成された出力指令値が前記二次電池装置へ伝達されるように、また、前記蓄電量維持モードではないときは前記需給制御装置により生成された出力指令値が前記二次電池装置へ伝達されるように、出力指令値を切り替える出力切替機能と
をコンピュータに実現させるプログラム。
【発明の詳細な説明】
【技術分野】
【０００１】
本発明は、電力系統の需給制御に使用する二次電池装置を制御する二次電池制御装置、二次電池制御方法、およびプログラムに関する。
【背景技術】
【０００２】
特定地域内に設置されるエンジン発電機、タービン発電機、電力貯蔵装置、燃料電池、太陽光発電や風力発電等の自然エネルギー発電装置等の複数種類の分散型電源を用いて、特定地域内の需要家に電力を供給するマイクログリッド等と呼ばれる小規模電力系統がある。
【０００３】
小規模電力系統を電力会社の商用電力系統に連系する場合、商用電力系統から受電する順潮流とする場合と、商用電力系統に対して電力を供給する逆潮流とする場合とがあるが、いずれの場合においても電力系統上のある任意の箇所の電力潮流（電力量）、または小規模電力系統内の負荷電力と発電出力との偏差を一定に保つ小規模系統内の分散型電源の電力需給制御が必要である。
【０００４】
小規模電力系統における電力需給制御においては、小規模電力系統内に発生する電力変動を吸収するためにエンジン発電機、タービン発電機、燃料電池とともに電力貯蔵のための二次電池装置（以下、二次電池と呼ぶ）を用い、小規模電力系統内の自然エネルギー発電装置で発生する比較的速い出力変動や、小規模電力系統内で発生する急峻な負荷変動は二次電池で吸収することが一般的である。
【０００５】
なお、電力系統に二次電池を適用する技術としては、例えば、特許文献１が挙げられる。
【先行技術文献】
【特許文献】
【０００６】
【特許文献１】特開２００６−０９４６４９号公報
【発明の概要】
【発明が解決しようとする課題】
【０００７】
二次電池を用いた需給制御を行う際、二次電池の蓄電量（以下、ＳＯＣと呼ぶ）を把握せずに二次電池を使うとＳＯＣが１００％に近い状態あるいはＳＯＣが０％に近い状態になる可能性がある。ＳＯＣが１００％に近い状態になってしまうと充電したいときに充電できなくなり、ＳＯＣが０％に近い状態になってしまうと放電したいときに放電できなくなるため、電力系統内の変動を効果的に補償できなくなり、需給バランスを維持できなくなる。
【０００８】
特に、自然エネルギー発電装置の出力電力や負荷の消費電力の速い変動成分は確率的に発生するが、これらの速い変動を二次電池の補償対象とする際、二次電池に充放電損失がなければＳＯＣはほぼ均衡するが、実際には充放電損失があるため、ＳＯＣは時間の経過とともに減少し続け、ＳＯＣが０％になる可能性がある。
【０００９】
本発明は上記実情に鑑みてなされたものであり、電力系統の需給制御に使用する二次電池装置の蓄電量を適切に制御する二次電池制御装置、二次電池制御方法、およびプログラムを提供することを目的とする。
【課題を解決するための手段】
【００１０】
本発明の一態様による二次電池制御装置は、電力系統の需給制御装置から二次電池装置に対して生成される出力指令値を用いて当該二次電池装置を制御する二次電池制御装置において、前記二次電池装置の現在の蓄電量を把握する蓄電量把握手段と、前記蓄電量把握手段により把握された現在の蓄電量に応じて、蓄電量が充電末に近づくこともしくは放電末に近づくことを抑制するための蓄電量維持モードで前記二次電池装置を運転すべき否かを決定する制御モード決定手段と、前記二次電池装置の充電効率値および放電効率値を設定する充放電効率値設定手段と、前記需給制御装置により生成された出力指令値を前記充放電効率設定手段により設定された充電効率値もしくは放電効率値を用いて補正して得られる値を前記蓄電量維持モードのための出力指令値として生成する蓄電量維持モード用出力指令値生成手段と、前記制御モード決定手段により決定された制御モードが前記蓄電量維持モードのときは前記蓄電量維持モード用出力指令値生成手段により生成された出力指令値が前記二次電池装置へ伝達されるように、また、前記蓄電量維持モードではないときは前記需給制御装置により生成された出力指令値が前記二次電池装置へ伝達されるように、出力指令値を切り替える出力切替手段とを具備することを特徴とする。
【００１１】
本発明の他の態様による二次電池制御方法は、電力系統の需給制御装置から二次電池装置に対して生成される出力指令値に基づいて当該二次電池装置を制御する二次電池制御方法において、蓄電量把握手段が、前記二次電池装置の現在の蓄電量を把握し、制御モード決定手段が、前記蓄電量把握手段により把握された現在の蓄電量に応じて、蓄電量が充電末に近づくこともしくは放電末に近づくことを抑制するための蓄電量維持モードで前記二次電池装置を運転すべき否かを決定し、充放電効率値設定手段が、前記二次電池装置の充電効率値および放電効率値を設定し、蓄電量維持モード用出力指令値生成手段が、前記需給制御装置により生成された出力指令値を前記充放電効率設定手段により設定された充電効率値もしくは放電効率値を用いて補正して得られる値を前記蓄電量維持モードのための出力指令値として生成し、出力切替手段が、前記制御モード決定手段により決定された制御モードが前記蓄電量維持モードのときは前記蓄電量維持モード用出力指令値生成手段により生成された出力指令値が前記二次電池装置へ伝達されるように、また、前記蓄電量維持モードではないときは前記需給制御装置により生成された出力指令値が前記二次電池装置へ伝達されるように、出力指令値を切り替えることを有することを特徴とする。
【００１２】
本発明の他の態様によるプログラムは、電力系統の需給制御装置から二次電池装置に対して生成される出力指令値に基づいて当該二次電池装置を制御するためのプログラムにおいて、前記二次電池装置の現在の蓄電量を把握する蓄電量把握機能と、前記蓄電量把握機能により把握された現在の蓄電量に応じて、蓄電量が充電末に近づくこともしくは放電末に近づくことを抑制するための蓄電量維持モードで前記二次電池装置を運転すべき否かを決定する制御モード決定機能と、前記二次電池装置の充電効率値および放電効率値を設定する充放電効率値設定機能と、前記需給制御装置により生成された出力指令値を前記充放電効率設定機能により設定された充電効率値もしくは放電効率値を用いて補正して得られる値を前記蓄電量維持モードのための出力指令値として生成する蓄電量維持モード用出力指令値生成機能と、前記制御モード決定機能により決定された制御モードが前記蓄電量維持モードのときは前記蓄電量維持モード用出力指令値生成機能により生成された出力指令値が前記二次電池装置へ伝達されるように、また、前記蓄電量維持モードではないときは前記需給制御装置により生成された出力指令値が前記二次電池装置へ伝達されるように、出力指令値を切り替える出力切替機能とをコンピュータに実現させるものである。
【発明の効果】
【００１３】
本発明によれば、電力系統の需給制御に使用する二次電池装置の蓄電量を適切に制御することができる。
【図面の簡単な説明】
【００１４】
【図１】本発明の第１の実施形態に係る二次電池制御装置が適用される電力系統システムの概略構成を示すブロック図。
【図２】同実施形態に係る二次電池制御装置の機能構成を示すブロック図。
【図３】ＳＯＣの上限値Ａと下限値Ｂを説明するための図。
【図４】ＳＯＣ維持モード用出力指令値生成部の処理の具体例を示す図。
【図５】需給制御装置から伝達される出力指令値の補正を説明するための図。
【図６】出力切替部の具体例を示す図。
【図７】同実施形態に係る二次電池制御装置の動作を示すフローチャート。
【図８】本発明の第２の実施形態に係る二次電池制御装置の機能構成を示すブロック図。
【図９】本発明の第３の実施形態に係る二次電池制御装置に備えられる充放電効率設定部の機能構成を示すブロック図。
【図１０】充放電効率値ＤＢ部に記憶される情報の作成に使用される特性データの一例を示す図。
【発明を実施するための形態】
【００１５】
以下、図面を参照して、本発明の実施の形態について説明する。
【００１６】
（第１の実施形態）
最初に、本発明の第１の実施形態について説明する。
【００１７】
図１は、本発明の第１の実施形態に係る二次電池制御装置が適用される電力系統システムの概略構成を示すブロック図である。
【００１８】
本システムは、外部系統１および小規模電力系統２を有する。小規模電力系統２には、外部系統１が接続されるとともに、ｎ個の分散型電源３１〜３ｎ、ｍ個の負荷設備４１〜４ｍ、および二次電池装置５が接続されている。二次電池装置５は、交流直流変換器（ＡＣ／ＤＣ）５ａおよび蓄電池５ｂを備えている。二次電池制御装置６は、二次電池装置５を制御できるように二次電池装置５に接続されている。需給制御装置７は、電力系統の需給制御を行えるように二次電池制御装置６を介して二次電池装置５などに接続されている。
【００１９】
外部系統１は、例えば商用電力系統であり、小規模電力系統２にとって外部に位置する電力系統である。
【００２０】
小規模電力系統２は、例えばマイクログリッド（もしくはスマートグリッド）に相当するものであり、各種の分散型電源を用いて、特定地域内の需要家に電力を供給する。この小規模電力系統２は、外部系統１に連系し、外部系統１から受電する場合と、外部系統１に対して電力を供給する場合とがある。
【００２１】
分散型電源３１〜３ｎは、例えば、エンジン発電機、タービン発電機、電力貯蔵装置、燃料電池、自然エネルギー発電装置等に相当するものである。
【００２２】
負荷設備４１〜４ｍは、電力を消費する需要家の設備に相当するものである。
【００２３】
二次電池装置５は、小規模電力系統２内の自然エネルギー発電装置等で発生する比較的速い出力変動や、小規模電力系統２内で発生する急峻な負荷変動を吸収するものである。この二次電池制御装置６は、二次電池制御装置６から伝達される出力指令値に従い、交流直流変換器５ａを通じて蓄電池５ｂに対する充放電を行う。以降、蓄電池５ｂのＳＯＣを、「ＳＯＣ」と呼ぶものとする。
【００２４】
上記二次電池装置５は、交流直流変換器５ａの直流側の出力ＰＣ、ＰＤが二次電池制御装置６から伝達された出力指令値となるように運転される。ここで、ＰＣは、充電動作時における交流直流変換器５ａの直流回路側の有効電力、ＰＤは、放電動作時における交流直流変換器５ａの直流回路側の有効電力である。また、ＰＩＮは、充電動作時に蓄電池５ｂに蓄電される有効電力、ＰＯＵＴは、放電動作時に蓄電池５ｂから放電される有効電力である。ＰＩＮ，ＰＯＵＴは、蓄電池５ｂの充電効率，放電効率から次のような（１）式および（２）式で表わされる。
【００２５】
ＰＩＮ ＝ＰＣ×充電効率          …（１）
ＰＯＵＴ＝ＰＤ／放電効率          …（２）
需給制御装置７は、電力系統上のある任意の箇所の電力潮流（電力量）もしくは小規模電力系統２内の負荷電力と発電出力との偏差を一定に保つための電力需給制御を行うものである。この需給制御装置７は、分散型電源３１〜３ｎに対する出力指令値および二次電池装置５に対する出力指令値を生成し、小規模電力系統２内の該当する箇所へ伝達する。但し、二次電池装置５に対する出力指令値は、二次電池制御装置６を経由して伝達される。
【００２６】
なお、図１では二次電池制御装置６が小規模電力系統２の外側に設けられた場合が例示されているが、二次電池制御装置６は小規模電力系統２の内部に設けられてもよい。また、そのような場合、二次電池制御装置６は二次電池装置５の内部に設けられてもよく、二次電池装置５の外部に設けられてもよい。
【００２７】
図２は、同実施形態に係る二次電池制御装置の機能構成を示すブロック図である。
【００２８】
二次電池制御装置６は、ＳＯＣ把握部６１、制御モード決定部６２、充放電効率値設定部６３、ＳＯＣ維持モード用出力指令値生成部６４、および出力切替部６５を有する。
【００２９】
ＳＯＣ把握部６１は、二次電池装置５から出力されているＳＯＣ値を取り込んで現在のＳＯＣ値を把握し、それを制御モード決定部６２へ伝達するものである。
【００３０】
制御モード決定部６２は、ＳＯＣ把握部６１から伝達される現在のＳＯＣ値に応じて、ＳＯＣを適切な値に維持するためのＳＯＣ維持モードで二次電池装置５を運転すべきか、あるいは一般的な通常モードで二次電池装置５を運転すべきかを決定し、決定した制御モードを識別する信号を出力切替部６５へ伝達するものである。
【００３１】
ここで、ＳＯＣ維持モードは、二次電池装置５での充放電においてＳＯＣが充電末（容量の１００％）に近づくこともしくはＳＯＣが放電末（容量の０％）に近づくことを抑制するためのモードであり、通常モードは、需給制御装置７からの出力指令値どおりに二次電池装置５での充放電が行われるようにするモードである。ＳＯＣが放電末あるいは充電末に近づいたらＳＯＣ維持モードが選択され、ＳＯＣが放電末あるいは充電末に対して余裕がある場合には、通常モードが選択される。例えば、図３に示されるような、ＳＯＣの上限値Ａと下限値Ｂを、制御モード決定部６２に予め設定しておき、ＳＯＣ把握部６１から伝達された現在のＳＯＣと上限値Ａと下限値Ｂと比較し、現在のＳＯＣ＞Ａ、または、現在のＳＯＣ＜Ｂという関係が成立する場合は、制御モード決定部６２は、ＳＯＣ維持モードを選択して制御モードの識別信号として１を出力切替部６５へ伝達し、一方、Ａ＞現在のＳＯＣ＞Ｂという関係が成立する場合は、制御モード決定部６２は、「通常モード」を選択して制御モードの識別信号として０を出力切替部６５へ伝達する。
【００３２】
充放電効率値設定部６３は、二次電池装置５の充電効率値および放電効率値を設定するものである。
【００３３】
ＳＯＣ維持モード用出力指令値生成部６４は、需給制御装置７により生成された出力指令値を充放電効率設定部６３により設定された充電効率値もしくは放電効率値を用いて補正して得られる値をＳＯＣ維持モードのための出力指令値として生成するものである。例えば、ＳＯＣ維持モード用出力指令値生成部６４は、需給制御装置７から伝達された出力指令値を、図４に示されるような処理により、ＳＯＣを適切な値に維持できるような出力指令値に補正し、出力切替部６５へ伝達する。
【００３４】
図４の処理においては、図５（ａ）に示されるような需給制御装置７から伝達される出力指令値を、放電側と充電側の方向性に応じて分離する。放電方向の出力指令値（正の値）には、「放電効率」を掛けて、図５（ｂ）に示されるように、当該出力指令値を補正したものを二次電池装置５に対する出力指令値として出力する。一方、充電方向の出力指令値（負の値）には、「１／充電効率」を掛けて、図５（ｃ）に示されるように、当該出力指令値を補正したものを二次電池装置５に対する出力指令値として出力する。放電側の出力指令値と充電側の出力指令値とを合わせたものを図５（ｄ）に示す。ここで、充電効率値および放電効率値は、充放電効率値設定部６３から伝達されたものである。
【００３５】
出力切替部６５は、制御モード決定部６２から伝達される制御モードの識別信号に応じて、ＳＯＣ維持モード用出力指令値生成部６４から伝達される出力指令値と、需給制御装置７から伝達される出力指令値との間で出力指令値を切り替えて二次電池装置５へ伝達するものである。すなわち、出力切替部６５は、制御モード決定部６２により決定された制御モードがＳＯＣ維持モードのときはＳＯＣモード用出力指令値生成部６４により生成された出力指令値が前記二次電池装置へ伝達されるように、また、ＳＯＣ維持モードではないときは需給制御装置７により生成された出力指令値が二次電池装置５へ伝達されるように、出力指令値を切り替える。例えば、図６に示されるような、乗算器、加算器、およびＮＯＲ演算器を組み合わせた回路を採用することにより、制御モード識別信号に応じて、需給制御装置７からの出力指令値と、ＳＯＣモード用出力指令値生成部６４からのＳＯＣモード用出力指令値とを切り替える機構を実現することができる。
【００３６】
次に、図７を参照して、同実施形態に係る二次電池制御装置の動作について説明する。
【００３７】
最初に、ＳＯＣ把握部６１は、二次電池装置５から出力されているＳＯＣ値を取り込んで現在のＳＯＣ値を把握する（ステップＳ１１）。
【００３８】
次に、制御モード決定部６２は、現在のＳＯＣ値が、上限値Ａと下限値Ｂとの間の範囲内にあるか否かを判定する（ステップＳ１２）。
【００３９】
現在のＳＯＣ値が、上限値Ａを上回っている、もしくは下限値Ｂを下回っている場合（ステップＳ１２のＮＯ）、以下のステップＳ１３〜Ｓ１５の処理が行われる。
【００４０】
まず、制御モード決定部６２は、制御モードをＳＯＣ維持モードにすることを決定する（ステップＳ１３）。ＳＯＣ維持モード用出力指令値生成部６４は、需給制御装置７により生成された出力指令値を充放電効率設定部６３により設定された充電効率値もしくは放電効率値を用いて補正して得られる値をＳＯＣ維持モードのための出力指令値として生成する（ステップＳ１４）。そして、出力切替部６５は、ＳＯＣモード用出力指令値生成部６４により生成された出力指令値が二次電池装置５へ伝達されるように、出力指令値を切り替える（ステップＳ１５）。
【００４１】
一方、現在のＳＯＣ値が、上限値Ａと下限値Ｂとの間にある場合（ステップＳ１２のＹＥＳ）、以下のステップＳ１６〜Ｓ１７の処理が行われる。
【００４２】
まず、制御モード決定部６２は、制御モードを通常モードにすることを決定する（ステップＳ１６）。そして、出力切替部６５は、需給制御装置７により生成された出力指令値が二次電池装置５へ伝達されるように、出力指令値を切り替える（ステップＳ１７）。
【００４３】
以降、ステップＳ１１からの処理が繰り返される。
【００４４】
この第１の実施形態によれば、ＳＯＣに余裕がある場合には需給制御装置７からの出力指令値どおりに二次電池装置５の充放電を行い、ＳＯＣが充電末あるいは放電末に近づいてきた場合にはＳＯＣが充電末あるいは放電末にならないように二次電池装置５を制御すすることができる。
【００４５】
（第２の実施形態）
次に、本発明の第２の実施形態について説明する。
【００４６】
なお、この第２の実施形態においては、前述の第１の実施形態の構成と共通する部分には同一の符号を付し、重複する説明を省略する。以下では、第１の実施形態と異なる部分を中心に説明する。
【００４７】
本発明の第２の実施形態に係る二次電池制御装置が適用される電力系統システムの概略構成は、前述の第１の実施形態で説明した図１と同じ構成となる。
【００４８】
図８は、本発明の第２の実施形態に係る二次電池制御装置の機能構成を示すブロック図である。ここでは、図２と異なる部分を中心に説明する。
【００４９】
第２の実施形態に係る二次電池制御装置６は、前述のＳＯＣ把握部６１の代わりに、もしくは前述のＳＯＣ把握部６１に加え、ＳＯＣ算出部６６を備えている。ＳＯＣ算出部６６は、充放電効率設定部６３により設定された充電効率値もしくは放電効率値および二次電池装置５の出力値を用いて、二次電池装置５の現在のＳＯＣを算出するものである。
【００５０】
例えば、ＳＯＣ算出部６６は、二次電池装置５から現在の実出力値（ＰＣ（ｔ）、ＰＤ（ｔ））を取り込み、充放電効率設定部６３により設定されている充電効率値と放電効率値から、時間経過に伴い変化している現在のＳＯＣを次の（３）式により算出する。
【００５１】
【数１】
2011200084.tif 000003
【００５２】
ここで、（３）式中のＰ０は、初期ＳＯＣを示す値である。
【００５３】
（３）式により算出した現在のＳＯＣ値は、制御モード決定部６２へ伝達される。
【００５４】
この第２の実施形態によれば、前述の第１の実施形態と同様の効果が得られるほか、二次電池装置からＳＯＣの情報が得られなくてもＳＯＣを算出することができるという効果が得られる。
【００５５】
（第３の実施形態）
次に、本発明の第３の実施形態について説明する。
【００５６】
なお、この第３の実施形態においては、前述の第１および第２の実施形態の構成と共通する部分には同一の符号を付し、重複する説明を省略する。以下では、第１および第２の実施形態と異なる部分を中心に説明する。
【００５７】
本発明の第３の実施形態に係る二次電池制御装置が適用される電力系統システムの概略構成は、前述の第１の実施形態で説明した図１と同じ構成となる。
【００５８】
この第３の実施形態は、前述の第１および第２の実施形態に示した充放電効率設定部６３（図２、図８参照）の具体的な構成例を示すものである。
【００５９】
図９は、本発明の第３の実施形態に係る二次電池制御装置に備えられる充放電効率設定部の機能構成を示すブロック図である。
【００６０】
図９に示されるように、充放電効率設定部６３は、充放電効率値ＤＢ部６３ａおよび充放電効率値抽出部６３ｂを有する。
【００６１】
充放電効率値ＤＢ部６３ａは、二次電池装置５のＳＯＣと充電効率値および放電効率値との関係を示す情報を記憶するものである。
【００６２】
充放電効率値抽出部６３ｂは、充放電効率値ＤＢ部６３ａに記憶されている情報を用いて、現在のＳＯＣに対応する充電効率値および放電効率値を抽出するものである。
【００６３】
このように構成において、ＳＯＣ把握部６１から充放電効率値設定部６３に伝達された現在のＳＯＣ値は、充放電効率値抽出部６３ｂに伝達される。充放電効率値抽出部６３ｂは、伝達された現在のＳＯＣ値に対応する充電効率値と放電効率値を充放電効率値ＤＢ部６３ａに記憶される情報から抽出する。例えば、充放電効率値ＤＢ部６３ａには、当該情報として、蓄電池の特性データなどに基づくテーブルを用意しておく。テーブルの一例を以下に示す。
【００６４】
【表１】
2011200084.tif 000004
【００６５】
例えば、現在のＳＯＣが５０％とすると、充放電効率値ＤＢ部６３ａのテーブルから充電効率＝０．７０、放電効率＝０．９５が抽出され、二次電池制御装置６ではこれらの充電効率値、放電効率値を用いて処理が行われる。
【００６６】
また、上記では充放電効率値ＤＢ部６３ａにテーブルを用意してテーブルから充放電効率値を抽出する方法を示したが、テーブルを用いず、代わりに演算式を用いた形態を採用してもよい。例えば、図１０に示されるような、ＳＯＣと充放電効率との関係を表す特性データ（放電効率曲線，充電効率曲線）を基に、充電効率，放電効率をＳＯＣの関数で近似した特性式である（４）式，（５）式を作成して用意しておき、これらを用いて充電効率値，放電効率値を求めるようにしてもよい。
【００６７】
充電効率＝ｆ（ＳＯＣ）          …（４）
放電効率＝ｆ（ＳＯＣ）          …（５）
この第３の実施形態によれば、前述の第１および第２の実施形態と同様の効果が得られるほか、ＳＯＣの状態に応じて充放電効率値を変えられるため、ＳＯＣの状態に関わらず充放電効率値を一定とした制御よりも、精度の高いＳＯＣ維持制御を実現できるという効果が得られる。
【００６８】
なお、前述の第１乃至第３の実施形態に示した二次電池制御装置６は、さらに、二次電池装置５の現在の制御状態に関する情報を、当該二次電池制御装置６の外部へ発信する機能（図示せず）を備えている。現在の制御状態に関する情報としては、二次電池装置５の現在のＳＯＣ、制御モード、充電末に達したことを認識する信号、放電末に達したことを認識する信号などが含まれる。需給制御装置７などの他の装置は、当該情報を取り込むことにより、二次電池装置５の運用状態を把握することができる。
【００６９】
また、前述の第１乃至第３の実施形態に示した二次電池制御装置６の各種機能は、ハードウェアで実現してもよいし、ソフトウェア（コンピュータプログラム）で実現してもよい。コンピュータプログラムで実現する場合、当該プログラムを記憶した記憶媒体および当該プログラムを実行するプロセッサを、例えば二次電池装置５に実装するようにしてもよい。その場合、二次電池装置が自律して放電末や充電末にならないように動作することができるため、小規模電力系統の運用者による蓄電量管理業務を軽減することができる。あるいは需給制御装置側における蓄電量管理機能の責務を軽減することができる。
【００７０】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００７１】
１…外部系統、２…小規模電力系統、３１〜３ｎ…分散型電源、４１〜４ｍ…負荷設備、５…二次電池装置、５ａ…交流直流変換器、５ｂ…蓄電池、６…二次電池制御装置、７…需給制御装置、６１…ＳＯＣ把握部、６２…制御モード決定部、６３…充放電効率値設定部、６４…ＳＯＣ維持モード用出力指令値生成部、６５…出力切替部、６３ａ…充放電効率値ＤＢ部、６３ｂ…充放電効率値抽出部。
【図１】
2011200084.tif 000005
【図２】
2011200084.tif 000006
【図３】
2011200084.tif 000007
【図４】
2011200084.tif 000008
【図５】
2011200084.tif 000009
【図６】
2011200084.tif 000010
【図７】
2011200084.tif 000011
【図８】
2011200084.tif 000012
【図９】
2011200084.tif 000013
【図１０】
2011200084.tif 000014